(57)【要約】内視鏡用デバイス（２）は、長手方向に貫通し内視鏡（１）が挿入される内視鏡用挿通路（５Ａ）を有する細長いシース（５）と、該シース（５）に設けられたワイヤ（６）とを備え、該ワイヤ（６）が、シース（５）の先端部分に設けられ、シース（５）の内部にまたは外周面に沿って配置される通常形態とシース（５）の外径よりも大きな径を有するループ状の拡張形態との間で変形する変形領域（６２）を有する。
2017203582.tif 000002
【特許請求の範囲】
【請求項１】
長手方向に貫通し内視鏡が挿入される内視鏡用挿通路を有する細長いシースと、
該シースに設けられたワイヤとを備え、
該ワイヤが、前記シースの先端部分に設けられ、前記シースの内部にまたは外周面に沿って配置される通常形態と前記シースの外径よりも大きな径を有するループ状の拡張形態との間で変形する変形領域を有する内視鏡用デバイス。
【請求項２】
前記シースが、前記長手方向に沿って形成され前記シースの先端面または先端近傍の外周面に開口し、前記ワイヤが前記長手方向に移動可能に挿入されるワイヤ用挿通路を有し、
前記ワイヤ用挿通路内に挿入されている前記ワイヤの先端部分に前記変形領域が設けられている請求項１に記載の内視鏡用デバイス。
【請求項３】
前記シースが、２つの前記ワイヤ用挿通路を有し、
前記ワイヤは、該ワイヤの端部を各々含む２つの直線領域と、該２つの直線領域の間に位置する前記変形領域とを有し、
前記変形領域が先端側に位置するように前記２つの直線領域が前記２つのワイヤ用挿通路内に挿入されている請求項２に記載の内視鏡用デバイス。
【請求項４】
前記拡張形態が、前記長手方向に見たときに前記内視鏡用挿通路を略中心とする請求項２または請求項３に記載の内視鏡用デバイス。
【請求項５】
前記拡張形態が、円形状または多角形状である請求項４に記載の内視鏡用デバイス。
【請求項６】
前記変形領域が、
前記拡張形態においてループ状を成すループ部と、
該ループ部よりも基端側に設けられ、前記拡張形態においてループ状の前記ループ部によって画定される面に交差する方向に屈曲する屈曲部とを有する請求項２または請求項３に記載の内視鏡用デバイス。
【請求項７】
前記シースの基端側に設けられ、前記ワイヤ用挿通路からの前記変形領域の突出量を所定量に制御する突出量制御部を備える請求項２または請求項３に記載の内視鏡用デバイス。
【請求項８】
前記シースを該シースの長手軸回りに回転可能に収容する外側シースを備え、
前記シースの先端部分が、前記外側シースの先端から突出して露出し、
前記変形領域が、前記シースの先端部分の外周面に螺旋状に巻き付けられるとともに、前記変形領域の先端が前記シースに固定され、前記変形領域の基端が前記外側シースに固定されている請求項１に記載の内視鏡用デバイス。
【請求項９】
体内に挿入可能な細長い挿入部を有する内視鏡と、
前記挿入部に設けられたワイヤとを備え、
該ワイヤが、前記挿入部の先端部分に設けられ、前記挿入部の内部にまたは外周面に沿って配置される通常形態と前記挿入部の外径よりも大きな径を有するループ状の拡張形態との間で変形可能な変形領域を有する内視鏡システム。
【発明の詳細な説明】
【技術分野】
【０００１】
本発明は、内視鏡用デバイスおよび内視鏡システムに関するものである。
【背景技術】
【０００２】
従来、剣状突起下から心膜腔内に内視鏡を挿入し、開胸することなく心臓を観察および処置する方法が知られている（例えば、特許文献１参照。）。
【先行技術文献】
【特許文献】
【０００３】
【特許文献１】米国特許出願公開第２００４／００６４１３８号明細書
【発明の概要】
【発明が解決しようとする課題】
【０００４】
心膜腔の内部を内視鏡によって観察するためには、内視鏡の先端近傍に空間を確保する必要がある。しかしながら、心膜は、その伸縮性によって心臓の外面に密着している。したがって、心臓の外面と心膜の内面との間に挿入した内視鏡の先端近傍が心膜に覆われて、内視鏡の視野が心膜によって遮られてしまい、視野を確保することが難しいという問題がある。【０００５】
本発明は、上述した事情に鑑みてなされたものであって、心膜腔内において内視鏡の視野を確保することができる内視鏡用デバイスおよび内視鏡システムを提供することを目的とする。
【課題を解決するための手段】
【０００６】
上記目的を達成するため、本発明は以下の手段を提供する。
本発明の第１の態様は、長手方向に貫通し内視鏡が挿入される内視鏡用挿通路を有する細長いシースと、該シースに設けられたワイヤとを備え、該ワイヤが、前記シースの先端部分に設けられ、前記シースの内部にまたは外周面に沿って配置される通常形態と前記シースの外径よりも大きな径を有するループ状の拡張形態との間で変形する変形領域を有する内視鏡用デバイスである。【０００７】
本発明の第１の態様によれば、シースを体外から心膜腔の内部まで経皮的に配置し、シースの内視鏡用挿通路を介して内視鏡を心膜腔内へ挿入することによって、心膜腔の内部を内視鏡によって観察することができる。
この場合に、ワイヤの変形領域を通常形態としてシースを心膜腔内まで挿入し、その後に心膜腔内においてワイヤの変形領域を拡張形態に変形させる。シースの外径よりも大きな外径を有する拡張形態の変形領域はシースの外周面から径方向に突出するので、拡張形態の変形領域によって心膜がシースの先端から離間した位置に保持され、内視鏡の先端が配置されるシースの先端近傍に空間が形成される。これにより、心膜腔内において内視鏡の視野を確保することができる。【０００８】
上記第１の態様においては、前記シースが、前記長手方向に沿って形成され前記シースの先端面または先端近傍の外周面に開口し、前記ワイヤが前記長手方向に移動可能に挿入されるワイヤ用挿通路を有し、前記ワイヤ用挿通路内に挿入されている前記ワイヤの先端部分に前記変形領域が設けられていてもよい。
このようにすることで、ワイヤを先端側へ移動させてワイヤ用挿通路の開口から変形領域を押し出し、変形領域を拡張形態に変形させることによって、シースの先端の前方に空間を形成することができる。さらに、ワイヤ用挿通路からの変形領域の突出量を変更することによって、シースの長手方向に空間の寸法を調整することができる。【０００９】
上記第１の態様においては、前記シースは、２つの前記ワイヤ用挿通路を有し、前記ワイヤは、該ワイヤの端部を各々含む２つの直線領域と、該２つの直線領域の間に位置する前記変形領域とを有し、前記変形領域が先端側に位置するように前記２つの直線領域が前記２つのワイヤ用挿通路内に挿入されていてもよい。
このようにすることで、シースの先端面から突出する変形領域がワイヤ用挿通路内の２つの直線領域によって支持されるので、心膜をより安定的に保持することができる。【００１０】
上記第１の態様においては、前記拡張形態が、前記長手方向に見たときに前記内視鏡用挿通路を略中心としていてもよい。この場合、前記拡張形態が、円形状または多角形状であってもよい。
このようにすることで、拡張形態の変形領域はシースの全ての径方向に突出しているので、シースと心膜との間のみならずシースと心臓との間にも変形領域によって空間を形成することができる。【００１１】
上記第１の態様においては、前記変形領域が、前記拡張形態においてループ状を成すループ部と、該ループ部よりも基端側に設けられ、前記拡張形態において前記ループ状の前記ループ部によって画定される面に交差する方向に屈曲する屈曲部とを有していてもよい。
このようにすることで、変形領域のうちループ部のみがワイヤ用挿通路から突出しているときには、シースの先端面から長手方向に突出するループ部によって、シースの先端前方に空間を形成することができる。また、屈曲部もワイヤ用挿通路から突出しているときには、屈曲部の屈曲によって拡張形態のループ部を心臓の外面に交差する方向に配置して、心臓の外面と心膜との間にシースの外径よりも大きな空間を形成することができる。【００１２】
上記第１の態様においては、前記シースの基端側に設けられ、前記ワイヤ用挿通路からの前記変形領域の突出量を所定量に制御する突出量制御部を備えていてもよい。
このようにすることで、体外に配置される突出量制御部によって、ワイヤ用挿通路からの変形領域の突出量を適切に制御することができる。【００１３】
上記第１の態様においては、前記シースを該シースの長手軸回りに回転可能に収容する外側シースを備え、前記シースの先端部分が、前記外側シースの先端から突出して露出し、前記変形領域が、前記シースの先端部分の外周面に螺旋状に巻き付けられるとともに、前記変形領域の先端が前記シースに固定され、前記変形領域の基端が前記外側シースに固定されていてもよい。
このようにすることで、変形領域の巻き付け方向と同一方向に外側シースを回転させることによって、変形領域を、シースの外周面に螺旋状にきつく巻き付いた通常形態に変形させることができる。一方、変形領域の巻き付け方向と逆方向に外側シースを回転させることによって、変形領域を、通常形態よりも大きな径を有する螺旋状の拡張形態に変形させることができる。【００１４】
本発明の第２の態様は、体内に挿入可能な細長い挿入部を有する内視鏡と、前記挿入部に設けられたワイヤとを備え、該ワイヤが、前記挿入部の先端部分に設けられ、前記挿入部の内部にまたは外周面に沿って配置される通常形態と前記挿入部の外径よりも大きな径を有するループ状の拡張形態との間で変形可能な変形領域を有する内視鏡システムである。
【発明の効果】
【００１５】
本発明によれば、心膜腔内において内視鏡の視野を確保することができるという効果を奏する。
【図面の簡単な説明】
【００１６】
【図１Ａ】本発明の第１の実施形態に係る内視鏡用デバイスおよびこれを備える内視鏡システムの構成を示す斜視図である。
【図１Ｂ】ワイヤが通常形態であるときの図１Ａの内視鏡システムを示す斜視図である。
【図２Ａ】図１Ａの内視鏡システムの使用状態を示す図である。
【図２Ｂ】図１Ａの内視鏡システムの使用状態を示す図である。
【図２Ｃ】図１Ａの内視鏡システムの使用状態を示す図である。
【図２Ｄ】図１Ａの内視鏡システムの使用状態を示す図である。
【図３】図１Ａの内視鏡用デバイスの変形例を示す図である。
【図４】図３の内視鏡用デバイスの使用状態を示す図である。
【図５】図１Ａの内視鏡用デバイスの他の変形例を示す図である。
【図６】図１Ａの内視鏡用デバイスの他の変形例を示す図である。
【図７】図１Ａの内視鏡用デバイスの他の変形例を示す図である。
【図８】図１Ａの内視鏡用デバイスの他の変形例を示す図である。
【図９】図１Ａの内視鏡用デバイスの他の変形例を示す図である。
【図１０Ａ】図９の内視鏡用デバイスの使用状態を示す図である。
【図１０Ｂ】図９の内視鏡用デバイスの使用状態を示す図である。
【図１１】図１Ａの内視鏡用デバイスの他の変形例を示す図である。
【図１２】図１Ａの内視鏡用デバイスの他の変形例を示す図である。
【図１３】図１Ａの内視鏡用デバイスの他の変形例を示す図である。
【図１４】図１Ａの内視鏡用デバイスの他の変形例を示す図である。
【図１５】図１Ａの内視鏡用デバイスの他の変形例の使用状態を示す図である。
【図１６】本発明の第２の実施形態に係る内視鏡システムの構成を示す斜視図である。
【図１７】図１６の内視鏡システムの変形例の使用状態を示す図である。
【図１８】本発明の第３の実施形態に係る内視鏡システムの構成を示す断面図である。
【図１９】ワイヤが拡張形態であるときの図１８の内視鏡システムを示す斜視図である。
【図２０Ａ】図１８の内視鏡システムの変形例の構成を示す斜視図である。
【図２０Ｂ】ワイヤが拡張形態であるときの図２０Ａの内視鏡システムを示す斜視図である。
【図２１Ａ】本発明の第４の実施形態に係る内視鏡用デバイスの構成を示す斜視図である。
【図２１Ｂ】ワイヤが拡張形態であるときの図２１Ａの内視鏡用デバイスを示す斜視図である
【発明を実施するための形態】
【００１７】
（第１の実施形態）
本発明の第１の実施形態に係る内視鏡システム１００について図１Ａから図１５を参照して以下に説明する。
本実施形態に係る内視鏡システム１００は、図１Ａに示されるように、内視鏡１と、該内視鏡１の外側に取り付けて使用される内視鏡用デバイス２とを備えている。
【００１８】
内視鏡１は、可撓性を有し心膜腔内に挿入可能な細長い挿入部３と、該挿入部３の先端部に設けられ挿入部３の先端前方の視野を観察する対物光学系４とを備えている。挿入部３の先端近傍は、可撓性を有するとともに、図示しない湾曲機構によって、長手方向から見たときに上下左右の方向に挿入部３の先端の向きを変更するための湾曲部を有している。
内視鏡用デバイス２は、可撓性を有し心膜腔内に挿入可能な細長いシース５と、該シース５に長手方向に設けられたワイヤ６とを備えている。
【００１９】
シース５は、挿入部３が挿入される１つの内視鏡用挿通路５Ａと、ワイヤ６が挿入される２つのワイヤ用挿通路５Ｂとを有している。３つの挿通路５Ａ，５Ｂはそれぞれ、シース５を長手方向に貫通し、シース５の先端面および基端面に開口している。シース５は、長手方向に直交しかつ互いに直交する上下方向および左右方向を有している。２つのワイヤ用挿通路５Ｂは、内視鏡用挿通路５Ａの上側に位置し、左右方向に並んで設けられている。
【００２０】
ワイヤ６は、ニッケルチタン等の形状記憶材料からなり、可撓性を有している。ワイヤ６は、該ワイヤ６の端部を各々含む２つの直線領域６１と、該２つの直線領域６１の間に設けられ２つの直線領域６１を接続する変形領域６２とを有している。ワイヤ６は、２つの直線領域６１が互いに略平行となるように変形領域６２において２つに折り曲げられている。２つの直線領域６１は、シース５の先端側から基端側へワイヤ用挿通路５Ｂ内にそれぞれ挿入され、先端側に配置された変形領域６２の少なくとも一部分がワイヤ用挿通路５Ｂから突出している。
【００２１】
ワイヤ用挿通路５Ｂはワイヤ６の外径よりも大きな内径を有し、ワイヤ用挿通路５Ｂ内においてワイヤ６は長手方向に移動可能となっている。ワイヤ６の両端部はシース５の基端から引き出されてシース５の外部に配置されている。したがって、シース５の基端側に延びるワイヤ６の両端部が押し引きされることによって、変形領域６２がシース５の長手方向に進退可能となっている。
【００２２】
変形領域６２は、図１Ａに示される拡張形態と図１Ｂに示される通常形態との間で変形可能に設けられている。
具体的には、変形領域６２は、ループ部６２Ａと、該ループ部６２Ａの端部をそれぞれ直線領域６１の先端に接続する２つの屈曲部６２Ｂとを有している。ループ部６２Ａは、屈曲部６２Ｂに接続されている両端の間において開いたループ形状を記憶している。２つの屈曲部６２Ｂは、ループ状のループ部６２Ａが画定する平面に交差する方向に略直角に屈曲した形状を記憶している。したがって、変形領域６２の拡張形態は、シース５の長手方向に略垂直な平面上に広がるループ形状となる。
【００２３】
変形領域６２は、ワイヤ６の可撓性によって拡張形態から通常形態に変形可能である。通常形態において、変形領域６２の大部分がワイヤ用挿通路５Ｂ内に配置され、変形領域６２の一部分のみがワイヤ用挿通路５Ｂから突出している。したがって、通常形態において、屈曲部６２Ｂは、直線領域６１の延長線上に沿って延びる略直線状となり、ループ部６２Ａは、Ｕ字状となる。
【００２４】
変形領域６２は、例えば体温まで加温されることによって、通常形態から拡張形態に復元しようとする復元力を発生する。したがって、シース５の少なくとも先端部分が体内に配置されている状態でワイヤ６の両端部を先端側へ押し込んで変形領域６２全体をワイヤ用挿通路５Ｂの内部から突出させることによって、変形領域６２が通常形態から拡張形態に自己変形するようになっている。また、変形領域６２が拡張形態に変形した後に、ワイヤ６の両端を牽引することによって、変形領域６２が通常形態へ変形しながらワイヤ用挿通路５Ｂ内に収容されるようになっている。
【００２５】
ここで、拡張形態のループ部６２Ａは、シース５の外径よりも大きな外径を有し、シース５の外周面よりも径方向外側に突出する。したがって、通常形態から拡張形態への変形によって、ループ部６２Ａがシース５の左右方向に拡張するようになっている。また、拡張形態の屈曲部６２Ｂが内視鏡用挿通路５Ａとは同一側（シース５の下側）へ屈曲することによって、拡張形態のループ部６２Ａがシース５の外周面よりも下側にも突出するようになっている。
【００２６】
次に、このように構成された内視鏡システム１００の作用について説明する。
本実施形態に係る内視鏡システム１００を用いて心臓Ａを観察するためには、操作者は、ワイヤ６の両端部を牽引して変形領域６２を通常形態に配置した状態でシース５を剣状突起下から体内に挿入し、剣状突起下から心膜腔の内部までシース５を配置する。次に、操作者は、内視鏡用挿通路５Ａを介して内視鏡１の挿入部３を心膜腔内に挿入し、挿入部３の先端をシース５の先端近傍に配置する。
【００２７】
このときに、図２Ａに示されるように、心臓Ａの外面に心膜Ｂが密着するため、シース５の先端周辺には空間がほとんどなく、心膜腔の内部を内視鏡１によって観察することができない。したがって、超音波画像装置またはＸ線透視装置などを使用して心膜腔内における挿入部３の位置を確認し、挿入部３の先端を所望の位置に配置する。
【００２８】
次に、操作者は、シース５の基端側に配置されているワイヤ６の両端部を先端側へ押し込むことによって、変形領域６２をワイヤ用挿通路５Ｂ内から突出させる。変形領域６２がワイヤ用挿通路５Ｂ内から突出する過程において、まず、図２Ｂに示されるように、ワイヤ用挿通路５Ｂ内からループ部６２Ａが突出し、ループ部６２Ａがシース５の長手方向に略平行な平面上においてループ状に拡張する。
【００２９】
ここで、シース５の下側が心臓Ａ側を向くようにシース５を配置すると、拡張したループ部６２Ａによって心膜Ｂが内視鏡用挿通路５Ａよりも心臓Ａの外面から離間した位置に保持され、シース５および挿入部３の先端前方に空間Ｓが形成される。したがって、この状態（第１の状態）において、シース５の先端前方を内視鏡１によって観察することができる。
【００３０】
操作者がワイヤ６の両端部をさらに押し込んで屈曲部６２Ｂをワイヤ用挿通路５Ｂ内から突出させると、図２Ｃに示されるように、屈曲部６２Ｂが屈曲変形することによって、ループ状のループ部６２Ａが心臓Ａの外面に略垂直に配置される。そして、シース５よりも下側（心臓Ａ側）に突出するループ部６２Ａによってシース５が心臓Ａの外面から離間する方向に持ち上げられ、シース５の外周面によって心膜Ｂが心臓Ａの外面からさらに離間した位置に保持される。
【００３１】
このときの心臓Ａの外面と心膜Ｂの内面との間の距離はシース５の外径よりも大きくなる。したがって、この状態（第２の状態）において、シース５および挿入部３の先端前方には、第１の状態よりも広い空間Ｓが形成され、シース５の先端前方のより広い範囲を内視鏡１によって観察することができる。さらに、心臓Ａの外面から離間した位置に挿入部３が配置されるので、挿入部３の先端部に設けられた湾曲部を心臓Ａ側へ湾曲させることによって、心臓Ａの外面を俯瞰観察することができる。
【００３２】
図２Ｃに示される第２の状態から、操作者がワイヤ６の両端部をさらに押し込んでワイヤ用挿通路５Ｂからの変形領域６２の突出量を増大させると、図２Ｄに示されるように、空間Ｓがシース５の先端前方に広がる。これにより、シース５の先端近傍のみならずシース５の先端から離れた位置も内視鏡１によって観察することができる。
【００３３】
このように、本実施形態によれば、ワイヤ６をワイヤ用挿通路５Ｂ内へ押し込むだけの簡単な操作によって、心膜腔内に配置されているシース５の先端周辺に空間Ｓを形成し、内視鏡１の視野を確保することができるという利点がある。また、第２の状態においては、拡張した変形領域６２によってシース５の先端部を心臓Ａの外面から離間した位置に保持して心臓Ａの外面を俯瞰観察することができるという利点がある。また、シース５の先端面からのワイヤ６の突出量に応じて、シース５の長手方向に沿う方向における空間Ｓの寸法を変更し、視野の範囲を調整することができるという利点がある。
【００３４】
本実施形態においては、拡張形態のループ部６２Ａがシース５の左右両側および下側に突出することとしたが、図３に示されるように、長手方向に沿い複数の屈曲部６２Ｃ，６２Ｄを設けることで、シース５の上側にも突出するように構成されていてもよい。このようにすることで、図４に示されるように、シース５の心臓Ａ側のみならず心膜Ｂ側にも、ループ部６２Ａによって空間Ｓが形成される。したがって、挿入部３の湾曲部を心膜Ｂ側へ湾曲させることによって、心膜Ｂおよび心膜Ｂの外側に位置する組織（例えば、肺や横隔神経）を観察することができる。
【００３５】
図３に示される変形例において、変形領域６２は、ループ部６２Ａと、直線領域６１の先端に隣接する２つの第１の屈曲部６２Ｃと、第１の屈曲部６２Ｃとループ部６２Ａとの間に設けられた２つの第２の屈曲部６２Ｄとを有する。拡張形態において、第１の屈曲部６２Ｃはシース５の上側へ略直角に屈曲し、２つの第２の屈曲部６２Ｄはシース５の左右両側にそれぞれ略直角に屈曲する。拡張形態のループ部６２Ａは、内視鏡用デバイス２を長手方向に見たときにループ部６２Ａの略中心に内視鏡用挿通路５Ａが位置するような略円形状を有する。ループ部６２Ａは、円形状に代えて、多角形状であってもよい。
【００３６】
変形領域６２が拡張形態を成した状態でシース５を長手軸回りに回転させると、ループ部６２Ａが、シース５の先端の前方および側方に空間Ｓを形成したままシース５の長手軸回りに回転し、内視鏡用挿通路５Ａ内の挿入部３も回転する。したがって、挿入部３の湾曲部を湾曲させた状態でシース５を回転させることによって、心膜腔の内部を様々な方向から観察することができる。
【００３７】
本実施形態においては、２つのワイヤ用挿通路５Ｂが内視鏡用挿通路５Ａの同一側に設けられていることとしたが、これに代えて、図５に示されるように、２つのワイヤ用挿通路５Ｂおよび内視鏡用挿通路５Ａがシース５の径方向に一列に並ぶように、２つのワイヤ用挿通路５Ｂが内視鏡用挿通路５Ａの両側に設けられていてもよい。
【００３８】
図１Ａから図４のように２つのワイヤ用挿通路５Ｂが内視鏡用挿通路５Ａの同一側に設けられている場合、挿入部３の湾曲部をワイヤ用挿通路５Ｂ側に湾曲させたときに、挿入部３が、ワイヤ用挿通路５Ｂから突出するワイヤ６に接触する可能性がある。さらに、内視鏡用デバイス２の組み立て工程において、屈曲部６２Ｂが内視鏡用挿通路５Ａ側へ屈曲するように、シース５とワイヤ６との相対的な向きを決める必要がある。
これに対し、本変形例によれば、上下方向に湾曲する湾曲部の可動範囲にワイヤ６が干渉することを防止することができる。さらに、ワイヤ６とシース５との相対的な向きを決める必要がないため、内視鏡用デバイス２の組み立てを容易にすることができる。
【００３９】
本実施形態においては、２つのワイヤ用挿通路５Ｂが設けられていることとしたが、これに代えて、ワイヤ用挿通路５Ｂが１つのみ設けられ、２つの直線領域６１が同一のワイヤ用挿通路５Ｂ内に挿入されていてもよい。
【００４０】
本実施形態においては、拡張形態の変形領域６２が、シース５の長手方向に略垂直な平面上に広がる円形のループ状であることとしたが、変形領域６２の拡張形態はこれに限定されるものではない。図６から図１０Ｂは、変形領域６２の拡張形態の変形例を示している。
【００４１】
図６に示されるように、ワイヤ用挿通路５Ｂがシース５の先端近傍の外周面に開口し、変形領域６２の拡張形態が、シース５の長手方向に略垂直な平面上に広がるＵ字のループ状であってもよい。
図７の変形領域６２は、図３の変形領域６２を変形したものである。図７に示されるように、ループ部６２Ａの拡張形態が、シース５の長手方向に平行な平面上に広がるループ状であってもよい。
【００４２】
図８に示されるように、ループ部６２Ａの拡張形態が、円形状ではなく多角形状（図８に示される例では三角形）であってもよい。ループ部６２Ａの、心臓Ａの外面に接触する部分を直線形状とすることによって、心臓Ａとループ部６２Ａとの接触面積を増大し、心膜Ｂおよびシース５をより安定的にループ部６２Ａによって支持することができる。
【００４３】
図９に示されるように、ループ部６２Ａの拡張形態が、シース５の径方向外側へ湾曲する形状であってもよい。このようにすることで、図１０Ａに示されるように、図２Ｂに示される第１の状態と比べて、心膜Ｂを心臓Ａの外面からより離間した位置に保持することができる。図１０Ｂは、屈曲部６２Ｂが内視鏡用挿通路５Ａから突出した第２の状態を示している。
【００４４】
本実施形態においては、ワイヤ６が２つに折り曲げられ、ワイヤ６の長手方向の途中位置に変形領域６２が設けられていることとしたが、これに代えて、図１１から図１４に示されるように、変形領域６２が、ワイヤ６の先端部分に設けられていてもよい。この場合に、ワイヤ６は、基端を含む単一の直線領域６１を有する。
【００４５】
変形領域６２の拡張形態は、図１１に示されるように、シース５の長手方向に略平行な平面上に広がる円形のループ状であってもよく、図１２に示されるように、シース５の長手方向に略垂直な平面上に広がる円形のループ状であってもよい。
図１３に示される変形例においては、シース５が複数のワイヤ用挿通路５Ｂを有し、複数のワイヤ６が各ワイヤ用挿通路５Ｂ内に挿入されている。この場合、複数のワイヤ６の変形領域６２が、互いに異なる方向に突出するように、複数のワイヤ６の向きが調整されていることが好ましい。本変形例によれば、各ワイヤ６が独立に進退可能であるので、シース５の上下左右の所望の側のみに空間を形成することができる。
【００４６】
また、図１４に示されるように、ワイヤ用挿通路５Ｂが、シース５の先端面に代えて、シース５の外周面に開口し、シース５の外周面の開口から変形領域６２が出没するように構成されていてもよい。
【００４７】
本実施形態においては、ワイヤ用挿通路５Ｂからの変形領域６２の突出量を制御する突出量制御部を備えていてもよい。
突出量制御部７は、例えば、図１５に示されるように、ワイヤ６の両端部に設けられた目印である。
【００４８】
目印７は、変形領域６２の突出量が所定量となるときにシース５の所定の位置（例えば、シース５の基端）と一致する位置において、ワイヤ６に設けられている。
このようにすることで、操作者は、目印７が所定の位置に配置されるまでワイヤ６を押し込むことによって、変形領域６２を適切な位置に配置することができる。
【００４９】
（第２の実施形態）
次に、本発明の第２の実施形態に係る内視鏡システム２００について図１６および図１７を参照して説明する。
本実施形態の説明においては、第１の実施形態と異なる構成について主に説明し、第１の実施形態と共通する構成については同一の符号を付して説明を省略する。
本実施形態の内視鏡システム２００は、図１６に示されるように、シース５を備えず、ワイヤ６が内視鏡１の挿入部３に設けられている。
【００５０】
挿入部３は、第１の実施形態のシース５と同様に、ワイヤ６が挿入される２つのワイヤ用挿通路５１Ｂを有している。２つのワイヤ用挿通路５１Ｂはそれぞれ、挿入部３を長手方向に貫通し、挿入部３の先端面および基端面に開口している。挿入部３は、長手方向に直交しかつ互いに直交する上下方向および左右方向を有している。２つのワイヤ用挿通路５Ｂは、対物光学系４の上側に位置し、左右方向に並んで設けられている。
【００５１】
ワイヤ用挿通路５１Ｂはワイヤ６の外径よりも大きな内径を有し、ワイヤ用挿通路５１Ｂ内においてワイヤ６は長手方向に移動可能となっている。ワイヤ６の両端部は挿入部３の基端に接続された操作部（図示略）に設けられているポート（図示略）から引き出されて内視鏡１の外部に配置されている。したがって、挿入部３の基端側に延びるワイヤ６の両端部が押し引きされることによって、変形領域６２が挿入部３の長手方向に移動するようになっている。
本実施形態のワイヤ６の構成は、図１Ａおよび図１Ｂに示されるワイヤ６の構成と同一である。
【００５２】
本実施形態によれば、挿入部３の外側に配置されるシース５を省くことによって、第１の実施形態と比べて細径の構造とすることができるという利点がある。本実施形態のその他の作用効果は第１の実施形態と同一であるので説明を省略する。
本実施形態においては、第１の実施形態において説明した図３から図１４に示される変形例を適宜適用してもよい。
【００５３】
本実施形態においても、図１７に示されるように、ワイヤ用挿通路５Ｂからの変形領域６２の突出量を制御する突出量制御部７を備えていることが好ましい。本実施形態において、目印７は、変形領域６２の突出量が、拡張形態の変形領域６２の全体が内視鏡１の視野Ｆの外側に位置する突出量のうち最大となるときに、内視鏡１の所定の位置（例えば、ワイヤ６の基端部が引き出されているポート）と一致する位置において、ワイヤ６に設けられている。
このようにすることで、操作者は、目印７が所定の位置に配置されるまでワイヤ６を押し込むことによって、変形領域６２が内視鏡１の視野Ｆに入らず、かつ、空間Ｓが最大となる位置に変形領域６２を配置することができる。
【００５４】
（第３の実施形態）
次に、本発明の第３の実施形態に係る内視鏡システム３００について図１８から図２０Ｂを参照して説明する。
本実施形態の説明においては、第１の実施形態と異なる構成について主に説明し、第１の実施形態と共通する構成については同一の符号を付して説明を省略する。
本実施形態に係る内視鏡システム３００は、図１８および図１９に示されるように、ワイヤ６の配置および形態において第１の実施形態と異なっている。
【００５５】
内視鏡１の挿入部３は、第２の実施形態において説明したワイヤ用挿通路５１Ｂを１つのみ有している。
シース５の内視鏡用挿通路５Ａは、挿入部３の外径よりも大きな内径を有し、内視鏡用挿通路５Ａの内径と挿入部３の外径との差は、ワイヤ６の直径の２倍よりも大きくなっている。
【００５６】
ワイヤ６は、該ワイヤ６の端部を各々含む２つの直線領域６１と、該２つの直線領域６１の間に設けられ２つの直線領域６１を接続する変形領域６２とを有している点で、第１の実施形態とワイヤ６と共通している。ただし、本実施形態において、一方の直線領域６１は、挿入部３の先端側から基端側へワイヤ用挿通路５１Ｂ内に挿入され、他方の直線領域６１は、挿入部３の外周面とシース５の内視鏡用挿通路５Ａの内周面との間に形成される円筒状の隙間に、シース５の先端側から基端側へ挿入されている。
【００５７】
変形領域６２は、シース５の外径よりも大きな外径を有し挿入部３の長手方向にピッチを有する螺旋状のループ形状を記憶している。ワイヤ６の両端部が牽引されることによって、変形領域６２は、挿入部３の外周面に密着して該外周面に巻き付く螺旋状の通常形態に変形する。この状態において、図１８に示されるように、変形領域６２をシース５の内視鏡用挿通路５Ａ内に収納することができる。また、ワイヤ６の両端部が先端側へ押し込まれるか、または、挿入部３に対してシース５が基端側に牽引されて挿入部３の先端部分が内視鏡用挿通路５Ａ内から突出することによって、変形領域６２が、挿入部３を略中心としより大きな径を有する螺旋状の拡張形態に変形するようになっている。
【００５８】
本実施形態において、操作者は、挿入部３に対してシース５を基端側へ牽引するか、または、ワイヤ６の両端部を挿通路５Ａ，５１Ｂ内へ押し込むことによって、挿入部３の外周面に巻き付けられた変形領域６２を通常形態から拡張形態に変形させることができる。
この場合に、拡張形態の変形領域６２は、挿入部３の下側および上側の両方に突出しているので、挿入部３の心臓Ａ側および心膜Ｂ側の両方に空間を形成することができるという利点がある。また、拡張形態の変形領域６２は、挿入部３の長手方向にも拡張するため、挿入部３の長手方向にも広い空間を形成することができるという利点がある。さらに、通常形態が拡張形態と類似した形状であるため、変形領域６２に記憶された螺旋状のループ形状を安定的に維持することができるという利点がある。
【００５９】
本実施形態においては、挿入部３の外周面とシース５の内視鏡用挿通路５Ａの内周面との間の隙間にワイヤ６の一方の直線領域６１を配置することとしたが、これに代えて、図２０Ａおよび図２０Ｂに示されるように、シース５が、第１の実施形態において説明したワイヤ用挿通路５Ｂを有し、該ワイヤ用挿通路５Ｂ内に一方の直線領域６１が挿入されていてもよい。ワイヤ用挿通路５Ｂは、第１の実施形態と同様にシース５の長手方向に沿って延びる直線状であってもよいが、図２０Ａおよび図２０Ｂに示されるように、螺旋状であることが好ましい。
【００６０】
挿入部３の外周面と内視鏡用挿通路５Ａの内周面との間の隙間においてワイヤ６は移動可能であるため、ワイヤ６の端部に加えられた押圧力を変形領域６２まで効率的に伝達することが難しい。これに対し、本変形例によれば、ワイヤ６の移動がワイヤ用挿通路５Ｂの形状に従って制限されるので、ワイヤ６の端部に加えられた押圧力が変形領域６２まで効率的に伝達される。これにより、変形領域６２を拡張形態に確実に拡張させることができる。
【００６１】
（第４の実施形態）
次に、本発明の第４の実施形態に係る内視鏡システムについて図２１Ａおよび図２１Ｂを参照して説明する。
本実施形態の説明においては、第１の実施形態と異なる構成について主に説明し、第１の実施形態と共通する構成については同一の符号を付して説明を省略する。
【００６２】
本実施形態に係る内視鏡システムは、内視鏡用デバイス２１が、図２１Ａおよび図２１Ｂに示されるように、円筒状の第１のシース５１と、該第１のシース５１を長手方向に収容する円筒状の第２のシース（外側シース）５２とを備え、ワイヤ６の変形領域６２が第１のシース５１の先端部分の外周面に螺旋状に巻き付けられている点において、第１の実施形態と異なっている。
【００６３】
第１のシース５１は、長手方向に貫通し先端面および基端面に開口する内視鏡用挿通路５Ａを有している。
第２のシース５２は、長手方向に貫通し先端面および基端面に開口するシース用挿通路５Ｃを有している。シース用挿通路５Ｃ内に挿入された第１のシース５１は、第１のシース５１の長手軸回りの両方向に回転可能である。第２のシース５２の先端面は、第１のシース５１の先端面から基端側に間隔を空けた位置に配置され、第１のシース５１の先端部分の外周面が露出している。
【００６４】
ワイヤ６は、露出している第１のシース５１の先端部分に第１のシース５１の外周面に沿って螺旋状に巻き付けられている変形領域６２のみを有する。変形領域６２は、第２のシース５２の外径よりも大きな外径を有しシース５１，５２の長手方向にピッチを有する螺旋状のループ形状を記憶している。
【００６５】
変形領域６２の先端は第１のシース５１に固定され、変形領域６２の基端は第２のシース５２に固定されている。したがって、第１のシース５１への変形領域６２の巻き付け方向と同一方向に第２のシース５２が第１のシース５１に対して回転することによって、図２１Ａに示されるように、変形領域６２が、第１のシース５１の外周面に密着して該外周面に巻き付く螺旋状の通常形態に変形するようになっている。また、第１のシース５１への変形領域６２の巻き付け方向とは逆方向に第２のシース５２が第１のシース５１に対して回転することによって、図２１Ｂに示されるように、変形領域６２が、第１のシース５１を略中心としより大きな径を有する螺旋状の拡張形態に変形するようになっている。
【００６６】
本実施形態において、操作者は、体外に配置された第２のシース５２の基端部を回転させることによって、変形領域６２を通常形態と拡張形態との間で変形させることができる。これにより、ワイヤ６の両端部を押し引きする場合と比べて、変形領域６２を変形させるための操作を簡便にすることができるという利点がある。
本実施形態のその他の作用効果は、第３の実施形態と同様であるので説明を省略する。
【符号の説明】
【００６７】
１００，２００，３００  内視鏡システム
１  内視鏡
２，２１  内視鏡用デバイス
３  挿入部
４  対物光学系
５，５１，５２  シース
５Ａ  内視鏡用挿通路
５Ｂ，５１Ｂ  ワイヤ用挿通路
５Ｃ  シース用挿通路
６  ワイヤ
６１  直線領域
６２  変形領域
６２Ａ  ループ部
６２Ｂ，６２Ｃ，６２Ｄ  屈曲部
７  突出量制御部
Ａ  心臓
Ｂ  心膜
【図１Ａ】
2017203582.tif 000003
【図１Ｂ】
2017203582.tif 000004
【図２Ａ】
2017203582.tif 000005
【図２Ｂ】
2017203582.tif 000006
【図２Ｃ】
2017203582.tif 000007
【図２Ｄ】
2017203582.tif 000008
【図３】
2017203582.tif 000009
【図４】
2017203582.tif 000010
【図５】
2017203582.tif 000011
【図６】
2017203582.tif 000012
【図７】
2017203582.tif 000013
【図８】
2017203582.tif 000014
【図９】
2017203582.tif 000015
【図１０Ａ】
2017203582.tif 000016
【図１０Ｂ】
2017203582.tif 000017
【図１１】
2017203582.tif 000018
【図１２】
2017203582.tif 000019
【図１３】
2017203582.tif 000020
【図１４】
2017203582.tif 000021
【図１５】
2017203582.tif 000022
【図１６】
2017203582.tif 000023
【図１７】
2017203582.tif 000024
【図１８】
2017203582.tif 000025
【図１９】
2017203582.tif 000026
【図２０Ａ】
2017203582.tif 000027
【図２０Ｂ】
2017203582.tif 000028
【図２１Ａ】
2017203582.tif 000029
【図２１Ｂ】
2017203582.tif 000030
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
長手方向に貫通し内視鏡が挿入される内視鏡用挿通路を有する細長いシースと、
該シースに設けられ、前記内視鏡用挿通路側へ屈曲する屈曲部を有するワイヤとを備え、
該ワイヤが、前記シースの先端部分に設けられ、前記シースの内部にまたは外周面に沿って配置される通常形態と、前記屈曲部が屈曲するとともに前記シースの外径よりも大きな径を有するループ状の拡張形態との間で変形する変形領域を有する内視鏡用デバイス。
【請求項２】
前記シースが、前記長手方向に沿って形成され前記シースの先端面または先端近傍の外周面に開口し、前記ワイヤが前記長手方向に移動可能に挿入されるワイヤ用挿通路を有し、
前記ワイヤ用挿通路内に挿入されている前記ワイヤの先端部分に前記変形領域が設けられている請求項１に記載の内視鏡用デバイス。
【請求項３】
前記拡張形態が、前記長手方向に見たときに前記内視鏡用挿通路を略中心とする請求項１または請求項２に記載の内視鏡用デバイス。
【請求項４】
前記拡張形態が、円形状または多角形状である請求項３に記載の内視鏡用デバイス。
【請求項５】
前記変形領域が、前記拡張形態においてループ状を成すループ部を有し、
前記屈曲部が、前記ループ部よりも基端側に設けられ、前記拡張形態においてループ状の前記ループ部によって画定される面に交差する方向に屈曲する請求項１に記載の内視鏡用デバイス。
【請求項６】
前記シースの基端側に設けられ、前記ワイヤ用挿通路からの前記変形領域の突出量を所定量に制御する突出量制御部を備える請求項２に記載の内視鏡用デバイス。
【請求項７】
体内に挿入可能な細長い挿入部を有する内視鏡と、
前記挿入部に設けられたワイヤとを備え、
該ワイヤが、前記挿入部の先端部分に設けられ、前記挿入部の内部にまたは外周面に沿って配置される通常形態と前記挿入部の外径よりも大きな径を有するループ状の拡張形態との間で変形可能な変形領域を有する内視鏡システム。
【請求項８】
（削除）
【請求項９】
（削除）
【国際調査報告】
2017203582.tif 000031
2017203582.tif 000032
2017203582.tif 000033
2017203582.tif 000034
2017203582.tif 000035